(57)【要約】      （修正有）【課題】静置状態において立状態を維持することが可能であって、かつ、軽量化を維持しつつ使用者の足の保護を容易にする足袋を提供する。【解決手段】底部材２と、甲部材３と、を有し、甲部材は、組紐３１を巻きまわして貼り付けることにより補強され、静置状態において立状態を維持する足袋とする。この場合において、甲部材は、内甲部と外甲部とを有して構成され、内甲部と前記外甲部は、足袋後方において着脱部材によって着脱可能となっていることが好ましい。また甲部材は、被覆部材３２により覆われ、被覆部材状に前記組紐を巻きまわして貼り付けても良い。更に、甲部材は、布部材により構成されるワッペンを貼り付けても良い。【選択図】図１
0003171936.tif 000002
【実用新案登録請求の範囲】
【請求項１】
底部材と、甲部材と、を有し、  前記甲部材は、組紐を巻きまわして貼り付けることにより補強され、静置状態において立状態を維持する足袋。
【請求項２】
前記甲部材は、内甲部と外甲部とを有して構成され、前記内甲部と前記外甲部は、足袋後方において着脱部材によって着脱可能となっている請求項１記載の足袋。
【請求項３】
前記甲部材は、被覆部材により覆われ、前記被覆部材上に前記組紐を巻きまわして貼り付けている請求項１記載の足袋。
【請求項４】
前記甲部材は、布部材により構成されるワッペンが貼り付けられている請求項１記載の足袋。
【考案の詳細な説明】
【技術分野】
【０００１】  本考案は、足袋に関する。より具体的には、踊りの際身につける足袋に公的なものである。
【背景技術】
【０００２】  足袋は、足に履く衣類であって、工事の際だけでなく、例えば舞台上又は祭り等路上における踊りの際身につけるものである。【０００３】  また足袋は、伝統的な日本の衣類であるということだけでなく、通常、底部とこの底部周囲に配置され足首を覆う甲部とを有するものであるが、非常に軽く、かつ柔らかく、足により密着させて履くことができるものであり、細やかな動きが可能となるといった利点がある。【０００４】  例えば、足袋に関する技術としては、例えば、下記特許文献１に記載がある。
【先行技術文献】
【特許文献】
【０００５】
【特許文献１】特開２００６−０８１５８３号公報
【考案の開示】
【考案が解決しようとする課題】
【０００６】  しかしながら、足袋の甲部材は薄い材質で作成するのが常であり、静置状態において立状態を維持することが極めて難しい。上記特許文献１における技術においても同様である。立状態を維持することができれば、足袋は非常に履きやすくなる。【０００７】  また、例えば舞台上又は祭り等路上における踊りの際、素早く足を動かすが、この際、舞台上又は路上に置かれた物に足をぶつけてしまう場合も少なくなく、この場合、足袋の甲部分は薄い材質であって、足を痛めてしまう虞がある。確かに、甲部材を強固なものを用いれば保護を図ることができるが、強固なものとすると、重くなり、足袋の利点が減じてしまう。【０００８】  そこで、本考案は、上記課題を鑑み、静置状態において立状態を維持することが可能であって、かつ、軽量化を維持しつつ使用者の足の保護を容易にする足袋を提供することを目的とする。
【課題を解決するための手段】
【０００９】  上記課題を解決するための一観点にかかる足袋は、底部材と、甲部材と、を有し、甲部材は、組紐を巻きまわして貼り付けることにより補強され、静置状態において立状態を維持することができるものである。【００１０】  また本観点において、甲部材は、内甲部と外甲部とを有して構成され、内甲部と外甲部は、足袋後方において着脱部材によって着脱可能となっていることが好ましい。【００１１】  また本観点において、甲部材は、被覆部材により覆われ、被覆部材状に組紐を巻きまわして貼り付けていることが好ましい。【００１２】  また本観点において、甲部材は、布部材により構成されるワッペンが貼り付けられていることが好ましい。
【考案の効果】
【００１３】  以上、本考案により、静置状態において立状態を維持することが可能であって、かつ、軽量化を維持しつつ使用者の足の保護を容易にする足袋を提供することができる。
【図面の簡単な説明】
【００１４】
【図１】実施形態にかかる足袋の右側面を示す図である。
【図２】実施形態にかかる足袋の左側面を示す図である。
【図３】実施形態にかかる足袋の正面を示す図である。
【図４】実施形態にかかる足袋の背面を示す図である。
【図５】実施形態にかかる足袋の底面を示す図である。
【図６】実施形態にかかる足袋の上面を示す図である。
【図７】実施形態の他の一例にかかる足袋の右側面を示す図である。
【図８】実施形態の他の一例にかかる足袋の左側面を示す図である。
【図９】実施形態の他の一例にかかる足袋の正面を示す図である。
【図１０】実施形態の他の一例にかかる足袋の背面を示す図である。
【図１１】実施形態の他の一例にかかる足袋の上面を示す図である。
【図１２】実施形態の他の一例にかかる足袋の右側面を示す図である。
【図１３】実施形態の他の一例にかかる足袋の左側面を示す図である。
【図１４】実施形態の他の一例にかかる足袋の正面を示す図である。
【図１５】実施形態の他の一例にかかる足袋の背面を示す図である。
【図１６】実施形態の他の一例にかかる足袋の上面を示す図である。
【図１７】実施形態の他の一例にかかる足袋の右側面を示す図である。
【図１８】実施形態の他の一例にかかる足袋の左側面を示す図である。
【図１９】実施形態の他の一例にかかる足袋の正面を示す図である。
【図２０】実施形態の他の一例にかかる足袋の背面を示す図である。
【図２１】実施形態の他の一例にかかる足袋の上面を示す図である。
【考案を実施するための最良の形態】
【００１５】  以下、本考案の実施形態について図面を参照しつつ説明する。ただし、本考案は多くの異なる態様で実施することが可能であり、以下に示す実施形態に限定されるものではない。なお、本明細書においては同一又は同様の機能を有する部分には同一の符号を付し、その繰り返しの説明は省略する。【００１６】  図１乃至図５は、本実施形態にかかる足袋（以下「本足袋」という。）１の一例を示す図である。これらの図で示すように、本足袋１は、底部材２と、甲部材３と、を有し、甲部材３は、組紐３１を巻きまわして貼り付けることにより補強され、静置状態において立状態を維持することができている。ここで「静置状態」とは、足袋１に支えを設けることなく足袋１を静かに置いた状態をいう。また「立状態」とは、甲部３が垂れて倒れてしまわない状態を言う。【００１７】  本実施形態において底部材２は、人の足を乗せる部分であり、歩く際に人の足の裏を保護するためのものである。材質としては、軽量であることがこのましく、様々なものを使用することができるが、例えば地面に接する部分がゴムでできており、人の足に接する部分が布等でできていることが好ましい。【００１８】  また底部材２の形状は、使用者の足の形状にあっていれば特に限定されるわけではないが、例えばつま先の部分が、親指を配置する部分と親指以外の指を配置する部分に分かれていることが好ましい。【００１９】  本実施形態において甲部材３とは、底部材２の周囲に配置されるとともに、足首の周りを覆うことができるものである。これにより、足袋１を足にフィットさせ、激しく動いてもずれてしまうことを防止することができる。【００２０】  このため、本実施形態にかかる甲部材３は、足袋後方において着脱部材によって着脱可能となっている。これによって、足袋後方において甲部材３に切れ目を入れることが可能となり履きやすくなる一方、装着性能を高く維持することができる。ここで着脱部材とは、こはぜ及び掛け糸であることがかけやすく好ましいが、面ファスナーや、ボタン、金属やプラスチックなどの一般のファスナーとすることも可能である。このようにすることでより装着性を高めることができる。なお、甲部材３は、限定されるわけではないが、内甲部と外甲部とを有して構成されていることがより製造が容易となる観点から好ましい。【００２１】  本実施形態において、甲部材３は布によって構成されていることが好ましい。このようにすることで軽量であることを確保することができる。なおこの布の厚さ（後述の被覆部材３２の場合も同様）としては、限定されるわけではないが０．５ｍｍ以上３ｍｍ以下であることが好ましく、より好ましくは１．５ｍｍ以下である。【００２２】  また、本実施形態において、甲部材３は、被覆部材３２により覆われ、被覆部材３２上に組紐３１を巻きまわして貼り付けている。被覆部材３２の例としては限定されるわけではないが、やはり布であることが好ましく、金や銀等の華やかな色に着色されたものであるがより好ましい。布を重複して設けることで、合計が同じ厚さとなったとしても、互いに支えあい、甲部が垂れてしまうことなく立状態を維持しやすくなるといった効果がある。また薄い布を重ね合わせることで、薄い��であれば材料選択の幅が広がり、被覆部材３２に金や銀等着色された部材を用いることが容易となり、華やかな印象を見る者に与えることが容易にできる。なお、この被覆部材３２は、設けておくことが好ましいものであるが、必須ではなく、状況によっては配置しないということも可能である。【００２３】  また本実施形態において、甲部材３の表面（被覆部材がある場合、被覆部材表面）は、組紐３１を巻きまわして貼り付けることにより補強されている。組紐３１とは、複数本の糸が組み合わされて一本の糸として扱われる糸をいう。本足袋１は、組紐３１を設けることで、甲部材３が静置状態においても立状態を維持することができるため、甲部材３が垂れることなく、使用者にとって履きやすくなる。さらに、組紐３１が甲部材３周囲に巻き回されることによって、足を激しく動かして仮に足袋の外側が物に当たった場合であっても、組紐３１がまず先に当たり、直接足に当たる虞を少なくすることができ、足の保護が可能となる。しかも、組紐３１で隙間をもって巻きまわしているため、重量化してしまう虞も極めて少ない。限定されるわけではないが、特に、底部材２と甲部材３の接続境界部分は最も物とぶつかってしまうおそれがあるため、この部分を保護するようこの一周を巻きまわすようにすることは好ましい一例である。【００２４】  組紐３１の太さとしては、限定されるわけではないが、例えば０．５ｃｍ以上１．５ｃｍ以下の範囲であることが好ましい。０．５ｃｍ以上とすることで、甲部材３が静置状態においても立状態を維持することができ、足の保護も十分できるといった効果があり、１．５ｃｍ以下とすることで組紐３１を巻きまわした場合でも、嵩張りすぎることを防止することができる。【００２５】  また本実施形態において、甲部材３には、布により構成されるワッペン３３が貼り付けられていることが好ましい。これは、例えば組紐３２が貼り付けられていない隙間に張っておくことが好ましい。このようにすることで、薄い材質からなるワッペン３３であっても甲部材３を補強し、立状態を維持することができるといった効果があるとともに、見た目も華やかとなり、見た者にアピールすることができる。【００２６】  以上、本考案により、静置状態において立状態を維持することが可能であって、かつ、軽量化を維持しつつ使用者の足の保護を容易にする足袋を提供することができる。【００２７】  また、本実施形態にかかる足袋の他の例について、例えば図７〜図１１、図１２〜１６、図１７〜図２１にそれぞれ示しておく。なお、各例において、底部材の外側は同様であるため、省略する。これらの例によっても、上記効果を達成することができる。
【産業上の利用可能性】
【００２８】  本考案は、足袋として産業条の利用可能性がある。
【符号の説明】
【００２９】１…足袋、２…底部材、３…甲部材、３１…組紐、３２…被服部材
【図１】
0003171936.tif 000003
【図２】
0003171936.tif 000004
【図３】
0003171936.tif 000005
【図４】
0003171936.tif 000006
【図５】
0003171936.tif 000007
【図６】
0003171936.tif 000008
【図７】
0003171936.tif 000009
【図８】
0003171936.tif 000010
【図９】
0003171936.tif 000011
【図１０】
0003171936.tif 000012
【図１１】
0003171936.tif 000013
【図１２】
0003171936.tif 000014
【図１３】
0003171936.tif 000015
【図１４】
0003171936.tif 000016
【図１５】
0003171936.tif 000017
【図１６】
0003171936.tif 000018
【図１７】
0003171936.tif 000019
【図１８】
0003171936.tif 000020
【図１９】
0003171936.tif 000021
【図２０】
0003171936.tif 000022
【図２１】
0003171936.tif 000023